(57)【要約】【課題】履き脱ぎ性、着用感が良好な靴に取り付ける脚カバーを提供することを目的とする。【解決手段】脚カバー２は、靴３へ取り付けたり靴から取り外したりし、靴への取付け時には履き口のトップライン１１を内包するようにされているものであって、脚カバー２は、シート状部材が前記トップラインを周回するように左足用では上から見て右巻きに、右足用では上から見て左巻きに巻かれるとともに、同部材の重なり部分の外側部２２が内側部２１に面ファスナ４、５で留められることで形作られるものであり、前記外側部２２はアキレス腱側に括れているとともに、外側部自体の縁が脚カバーの下端領域では外踝あたりの位置にあり、前記面ファスナが外側部の縁に沿って設けられていることを特徴とする。【選択図】図２
2007252766.tif 000002
【特許請求の範囲】
【請求項１】
靴へ取り付けたり靴から取り外したりし、靴への取付け時には履き口のトップラインを内包するようにされている脚カバーであって、
脚カバーは、シート状部材が前記トップラインを周回するように左足用では上から見て右巻きに、右足用では上から見て左巻きに巻かれるとともに、同部材の重なり部分の外側部が内側部に面ファスナで留められることで形作られるものであり、
前記外側部はアキレス腱側に括れているとともに、外側部自体の縁が脚カバーの下端領域では外踝あたりの位置にあり、前記面ファスナが外側部の縁に沿って設けられていることを特徴とする靴に取り付ける脚カバー。
【請求項２】
シート状部材の外側部に設けられた面ファスナが、外側部のアキレス腱側に括れた箇所を境に、それより上と下との二つの部材で構成されていることを特徴とする請求項１に記載の靴に取り付ける脚カバー。
【発明の詳細な説明】
【技術分野】
【０００１】
本発明は、散歩やハイキングなどの歩行に際して、泥はねなどでズボンの裾が汚れるのを防止する靴に取り付ける脚カバーに関する。
【背景技術】
【０００２】
防寒、泥はね付着防止などを目的としたき脚カバー付き靴が知られている。脚カバー付きの靴は、脚カバーが不要なときは取り外して短靴として使用されるものである。また、特許文献１で知られているものは、脚カバー（スパッツ）部分が、側面で開くようにされて履き脱ぎを容易としている。
【特許文献１】実用新案登録第３０４９３７１号
【発明の開示】
【発明が解決しようとする課題】
【０００３】
ところで、靴に脚カバーを付けると着用感が悪化する。着用感が悪化する主な理由は以下の通りである。使用者が歩行などの動作を行ったとき足首も動くが、足首の上下したりなどの動きに応じて、靴と脚とに接触している脚カバーは外力を受けて反発力が発生する。特に、脚カバー部がいずれかの箇所で開くようにされた構造で、さらにその開く構造の留め手段が、シート状部材の重なり部分に設けた面ファスナによって行われるようなものでは、履き脱ぎ性はある程度良好であるが、重なり部分が相対的に厚くなってしまうので、重なり部分に上記反発力が大きく発生して脚や靴に作用し、使用者の着用感を悪化させるからである。もっとも、伸縮性の柔軟な素材で筒状に形成して面ファスナーを使用しないような脚カバーでは、反発力の発生は小さいがズボンを履くように装着しなければならず履き脱ぎ性が劣る。  
【０００４】
本発明は、このような問題点に鑑みたもので、履き脱ぎ性、着用感が良好な靴に取り付ける脚カバーを提供することを目的とする。
【課題を解決するための手段】
【０００５】
本発明の脚カバーは、靴へ取り付けたり靴から取り外したりし、靴への取付け時には履き口のトップラインを内包するようにされている脚カバーであって、脚カバーは、シート状部材が前記トップラインを周回するように左足用では上から見て右巻きに、右足用では上から見て左巻きに巻かれるとともに、同部材の重なり部分の外側部が内側部に面ファスナで留められることで形作られるものであり、前記外側部はアキレス腱側に括れているとともに、外側部自体の縁が脚カバーの下端領域では外踝あたりの位置にあり、前記面ファスナが外側部の縁に沿って設けられていることを特徴とする。
好ましい態様の脚カバーは、シート状部材の外側部に設けられた面ファスナが、外側部のアキレス腱側に括れた箇所を境に、それより上と下との二つの部材で構成されている。
【発明の効果】
【０００６】
本発明の脚カバーを付けた靴では、その使用者は、シート状部材の外側部を操作することで脚カバー部を開いて履き脱ぎするが、例えば、左足用では右巻きに巻かれるとともに、外側部の縁が、脚カバー部の下端領域では外踝あたりの位置にあるので、外側部を後方へ開くという操作だけで、脚カバーに足の出し入れ口を現出でき、さらに外側部が外踝によって浮き気味にされるので後方に開くという操作がしやすい。以上のような理由で、本発明の脚カバーを付した靴は履き脱ぎしやすい。
また、本発明の脚カバーは、外側部がアキレス腱側に括れているとともに、外側部自体の縁が脚カバーの下端領域では外踝あたりの位置にあり、前記面ファスナが外側部の縁に沿って設けられており、つまり、脚カバーの外側部及び面ファスナーに括れ形状を持たせることで力が伝わり難い構造にしたので、足首に動きがあっても発生する反発力が小さく着用感が良好である。
なお、本発明において外側部が内踝側でなく外踝側になるようにした理由は、外踝側にある方が使用者がより自然体で操作できること、並びに内踝側にあると、歩行中での右足靴と左足靴の接触により外側部が不意に開くことがあるからである。
【発明を実施するための最良の形態】
【０００７】
本発明を図面に示した実施例に基づいて説明する。図面には左足用のものを示した。
【０００８】
図１〜図３に示すように本発明の脚カバー２を付けた靴１は、脚カバー２と靴３とで構成される。靴３は、短靴に分類されるものであればどのようなものでも使用できる。
【０００９】
図４に示すように靴３には、靴３自体に脚カバー２を取り付けるための留め手段６が設けられている。一方、脚カバー２にも留め手段６に対応する位置に留め手段６に対応する留め手段が設けられている。実施例の脚カバー２を付した靴１では、留め手段６は、組をなして機能するスナップの一方が靴３の甲皮に直に取り付けられるとともに、スナップの他方が甲皮から分出した帯体に取り付けられており、脚カバー２には孔が設けられており、この帯体を孔に通してスナップを留める方式である。
留め手段は、実施例のように帯体を用いたスナップ留め方式が最も良いが、脚カバー側に直にスナップを取り付けて、これを甲皮に直に取り付けたスナップに留める方式でもよく、面ファスナやスライドファスナ方式であっても良い。
【００１０】
留め手段の位置は、履き口１０より爪先側にのみ設けられることが好ましく、実施例の脚カバー２を付した靴１では、履き口１０の爪先側縁よりやや先で靴の左右側面に各一つ、緊締部９の爪先側縁に一つの合計三組の留め手段６が設けられている。このように留め手段を爪先側にのみ存在させて踵側を自由にすることで、歩行などの足首の動きに伴う脚カバー３に発生する反発力を極力小さくするようにすると良い。
【００１１】
脚カバー２を構成するシート状部材は、繊維系の材料で構成することが好ましく、特に、付着した汚れを拭き取ることができるように表面を皮革材料で構成することが好ましい。皮革材料としては、合成皮革、天然皮革、塩ビレザーなどが挙げられる。脚カバー２は、これらの材料を単独でまたは他の材料との積層体で用いて、所定の形状に加工したシート状部材から構成されるものである。このシート状部材は適度な形状保持性を有することが好ましく、その目安は、ＪＩＳＬ１０９６の定荷重法（Ｂ法）による伸長率が１０％以下のものである。また、皮革材料などの表面材の裏に積層する材料としては、着用感及び形状保持性、防寒性を高めるために、嵩高加工を施した繊維材からなるものやパイル生地が好適である。
【００１２】
靴３に取り付けられて使用されるときの脚カバー２は、大まかにみれば筒形状であるが、靴の甲皮に密接し得るように裾広がりの形状であることが好ましい。脚カバーの上下高さは（１．０〜１．４）×靴サイズｃｍ程度が適当である。
【００１３】
また、実施例の脚カバー２では、内側部２１の縁が、アキレス腱に対応する位置あたりにある。このような位置へ外側部の縁を配置することで、脚カバー内面のこの縁による段差が脚に影響しないようにしている。外側部は、アキレス腱側に括れているとともに、外側部２２の縁が脚カバーの下端領域では外踝あたりの位置にある。また、外側部の括れの最も深いところの位置はアキレス腱の真横あたりの位置にある。このような位置とすることで内側部２１と外側部２２との適度な重なり部分をもたせて防寒性を確保するようにしている。アキレス腱側に括れた箇所は、外踝にあたる位置からの高さで（０．２〜０．５）×靴サイズｃｍとすることが好ましい。括れの程度Ｋは（０．１３〜０．２２）×靴サイズｃｍとすることが好ましい。
【００１４】
シート状部材の内側部２１の外面に設けられる面ファスナ（実施例では鉤タイプ）４は、前記外側部２２を留めたときにその外側部の縁にそれ自体の縁が沿うように設けられている。実施例の脚カバー２では、面ファスナ４は外踝側の領域にのみあるとともに、アキレス腱側に括れた箇所に対応して、それより上と下との二つの部材で構成されている。
【００１５】
外側部２２の内面に設けられる面ファスナ（実施例ではループタイプ）５は、外側部２２の縁に沿って設けられている。実施例の脚カバー２では、面ファスナー５は外踝側の領域にのみあるとともに、アキレス腱側に括れた箇所に対応して、それより上と下との二つの部材で構成されている。
【００１６】
面ファスナの大きさは、脚カバーに発生する反発力を極力小さくするとともに確実な留め力を得るために、アキレス腱側に括れた箇所より上では幅が（０．０９〜０．１８）×靴サイズｃｍ、下では幅が（０．１３〜０．３０）×靴サイズｃｍとすることが好ましい。
なお、本発明では、面ファスナ４または５は、同部分に発生する反発力を小さくするために実施例に示すように上と下との２つの部材で構成することが好ましいが、連続した一つの部材で構成してもよい。
【００１７】
実施例の脚カバー２を付した靴１では、脚カバーの２の向こう脛にあたる箇所に、スライドファスナ７が設けられているとともにスライドファスナ７の両側には襠８が接合されている。この構成は、厚手のズボンを履いている場合などに、スライドファスナ７を開くことにより窮屈感が生じないようにするためのものである。
【００１８】
また、実施例の脚カバー２を付した靴１では、靴３の踵端側で靴底と甲皮の間に、靴抑え部材１２が設けられている。この部材１２は、靴を脱ぐときにもう一方の靴などでこの部分を押さえて足を靴から引き抜きやすいようにするための部材であり、この部材１２は可撓性を有するとともに硬質の部類に属する合成樹脂材で構成すると良い。
【図面の簡単な説明】
【００１９】
【図１】本発明の左足用の脚カバーを付した靴（着用時）の説明図
【図２】本発明の左足用の脚カバーを付した靴（履き脱ぎ時）の説明図
【図３】本発明の左足用の脚カバーを付した靴の斜視説明図
【図４】脚カバーを取り外したときの靴の説明図
【符号の説明】
【００２０】
１・・・脚カバー付した靴、２・・・脚カバー、３・・・靴、４・・・面ファスナ、５・・・面ファスナ、６・・・留め手段、７・・・スライドファスナ、８・・・襠、９・・・緊締部、１０・・・履き口、１１・・・トップライン、１２・・・靴押さえ部材、２１・・・内側部、２２・・・外側部、Ｋ・・・括れの程度。
【図１】
2007252766.tif 000003
【図２】
2007252766.tif 000004
【図３】
2007252766.tif 000005
【図４】
2007252766.tif 000006